(57)【要約】      （修正有）【課題】カリパスの主要部位を保護し、カリパスを簡便に携帯できるようにしたカリパス用ケースを提供すること。【解決手段】本発明のカリパス用ケースは、カリパスの本尺の先端部、副尺、止めネジ、ジョーの装着が可能な大きさの第１のケースと、該第１のケースを覆う第２のケースと、前記第１のケース及び前記第２のケースの内部に位置し、前記カリパスの本尺の先端部、副尺、止めネジ、ジョーの装着が可能な溝が形成された保護材と、前記第２のケースが前記第１のケースを覆った時に、第１及び第２のケースをロックするロック部材とを備える。【選択図】図２Ｂ
2007183234.tif 000002
【特許請求の範囲】
【請求項１】
カリパス本尺の先端部、副尺、止めネジ、ジョーの装着が可能な大きさの第１のケースと、
該第１のケースを覆う第２のケースと、
前記第１のケース及び前記第２のケースの内部に位置し、前記カリパスの本尺の先端部、副尺、止めネジ、ジョーの装着が可能な溝が形成された保護材と、
前記第２のケースが前記第１のケースを覆った時に、第１及び第２のケースをロックするロック部材と
を備えたことを特徴とするカリパス用ケース。
【請求項２】
前記第１のケースが、前記カリパスが装着される水平部と該水平部の一方に垂直に折り曲げられて形成された垂直部とを備え、前記本尺が、前記垂直部に形成されたスロットを貫通して、前記第１のケースの外側に延長されたことを特徴とする請求項１に記載のカリパス用ケース。
【請求項３】
前記第１のケースの垂直部と前記第２のケースとは、連結部により互いに旋回可能に連結されたことを特徴とする請求項２に記載のカリパス用ケース。
【請求項４】
前記第１のケース及び第２のケースのうちのいずれかのケースの外側には、クリップが固定されたことを特徴とする請求項１〜３のいずれか１項に記載のカリパス用ケース。
【請求項５】
前記第１のケース及び第２のケースのうちのいずれかのケースの外側には、チャネルが形成されて紐を通すことができることを特徴とする請求項１〜３のいずれか１項に記載のカリパス用ケース。
【請求項６】
前記第１のケース及び第２のケースのうちのいずれかのケースの接触面又は２つのケースの接触面に沿って、防水を目的としたゴムパッキングが固定されたことを特徴とする請求項１〜３のいずれか１項に記載のカリパス用ケース。
【請求項７】
前記ロック部材が、前記第１のケースの水平部に形成された段差と、該段差に形成された腰部と、前記第２のケースに形成され、閉じた時に前記腰部と結合する係止顎とを備えたことを特徴とする請求項２又は３に記載のカリパス用ケース。
【請求項８】
前記係止顎が形成された第２のケースの外側には、突起が外側に突出されたことを特徴とする請求項７に記載のカリパス用ケース。
【請求項９】
前記第１のケースの内部に位置した保護材には、浅い溝が形成され、前記第２のケースの内部に位置した保護材には、相対的に深い溝が形成されたことを特徴とする請求項１〜３のいずれか１項に記載のカリパス用ケース。
【請求項１０】
前記ロック部材は、雌雄スナップボタン、ワンタッチバックル、ベルクロテープ又は一度押さえればロックされ、さらに一度押さえればロック解除となるスナップロック体のうちのいずれか１つであることを特徴とする請求項１に記載のカリパス用ケース。
【発明の詳細な説明】
【技術分野】
【０００１】
本発明は、カリパス用ケースに関し、特に、カリパスの主要部位を保護し、カリパスを手軽に携帯可能なように構成したものである。
【０００２】
ノギス（vernier calipers）は、長さを測定する測定用具であって、円状からなる測定物の直径、円筒形測定物の内径などを測定するのに主に用いられる。本尺と該本尺の長さ方向へ移動する副尺とからなっているが、本尺の先端に形成されたジョーと副尺に形成されたジョーとの間に測定物を挟み、本尺と副尺との目盛により寸法を読む。ノギスにより読むことができる最小寸法は、製品に応じて、１／２０ｍｍ、１／５０ｍｍ、１／１００ｍｍなどである。
【背景技術】
【０００３】
図において、図１Ａは、通常のアナログノギスを示した平面図で、図１Ｂは、図１Ａに示されたアナログノギスの測定待機状態を示した平面図である。
【０００４】
図１Ａに示されるように、アナログノギス１０は、長さ方向に本尺２１が位置し、副尺２２が前記本尺２１に締結されて、本尺２１の長さ方向に滑って移動する。そして、副尺２２には、止めネジ２３が締結されて、副尺２２の位置を固定することができ、測定物を、本尺２１の先端に形成されたジョー２４と副尺２２の先端に形成されたジョー２４との間に挟むことによって、測定物の直径を測定する。
【０００５】
図１Ａに示したように、ジョー２４は、直径測定用ジョー２４ａと内径測定用ジョー２４bとに区分され、本尺２１を基にして上下にそれぞれ垂直に位置する。
【０００６】
一方、このように構成されたノギス１０により測定物の長さを測定しない場合（以下、「測定待機状態」と記す）には、図１Ｂに示したように、副尺２２を本尺２１の先端側に移動させた状態で、副尺２２が移動しないように止めネジ２３を締める。
【発明の開示】
【発明が解決しようとする課題】
【０００７】
このようなノギス１０の本尺２１の長さは、２００ｍｍ又は３００ｍｍであって、その長さが幅に比べて相対的に長く、本尺２１の先端に形成された直径測定用ジョー２４ａの長さもまた長いため、携帯に相当不便である。
【０００８】
また、大気中に露出したままでノギス１０を携帯すれば、衝撃により主要部位２０（本尺２１、副尺２２、止めネジ２３、ジョー２４）が損傷されやすく、異物が本尺２１と副尺２２との間に付く場合、寸法測定に困難さが伴う。
【０００９】
このように、主要部位が損傷されるか、異物が付くと、精密測定が困難になって、誤差発生の原因となる。
【００１０】
特に、デジタルノギスの場合には、水に脆弱なために、万が一、水が流入すれば、測定にエラーが発生するか、破損する可能性がある。
【００１１】
そこで、本発明は、上記従来の問題点を解決するためになされたものであって、その目的は、カリパスの主要部位を取り囲んで保護することによって、汚染されるか、破損して寿命が短くなるのを防止し、日常で発生する衝撃を緩衝させ、手軽に携帯可能な簡便な構造のカリパス用ケースを提供することにある。
【課題を解決するための手段】
【００１２】
上記のような目的を達成するため、本発明のカリパス用ケースによれば、カリパスの本尺の先端部、副尺、止めネジ、ジョーの装着が可能な大きさの第１のケースと、該第１のケースを覆う第２のケースと、前記第１のケース及び前記第２のケースの内部に位置し、前記カリパスの本尺の先端部、副尺、止めネジ、ジョーの装着が可能な溝が形成された保護材と、前記第２のケースが前記第１のケースを覆った時に、第１及び第２のケースをロックするロック部材とを備えたことを特徴とする。
【００１３】
また、本発明の好ましい実施形態によれば、前記第１のケースが、前記カリパスが装着される水平部と該水平部の一方に垂直に折り曲げられて形成された垂直部とを備え、前記本尺が、前記垂直部に形成されたスロットを貫通して、前記第１のケースの外側に延長される。
【００１４】
また、本発明の好ましい実施形態によれば、前記第１のケースの垂直部と前記第２のケースとは、連結部により互いに旋回可能に連結される。
【００１５】
また、本発明の好ましい実施形態によれば、前記第１のケース及び第２のケースのうちのいずれかのケースの外側には、クリップが固定される。
【００１６】
また、本発明の好ましい実施形態によれば、前記第１のケース及び第２のケースのうちのいずれかのケースの外側には、チャネルが形成されて紐を通すことができる。
【００１７】
また、本発明の好ましい実施形態によれば、前記第１のケース及び第２のケースのうちのいずれかのケースの接触面又は２つのケースの接触面に沿って、防水を目的としたゴムパッキングが固定される。
【００１８】
また、本発明の好ましい実施形態によれば、前記ロック部材が、前記第１のケースの水平部に形成された段差と、該段差に形成された腰部と、前記第２のケースに形成され、閉じた時に前記腰部と結合する係止顎とを備える。
【００１９】
また、本発明の好ましい実施形態によれば、前記係止顎が形成された第２のケースの外側には、突起が外側に突出する。
【００２０】
また、本発明の好ましい実施形態によれば、前記第１のケースの内部に位置した保護材には、薄い深さの溝が形成され、前記第２のケースの内部に位置した保護材には、相対的に深い溝が形成される。
【発明の効果】
【００２１】
本発明のカリパス用ケースによれば、強度の強い合成樹脂で製造されて衝撃に優れ、ケースの内部には、柔らかい保護材が形成されて、内部に位置したカリパスの主要部位を保護する。カリパスの主要部位がケースによって保護されることによって、異質物の流入を遮断しエラー発生を防止し、寿命を延長することができる。また、本発明のカリパス用ケースを、ユーザの腰に着用した時に、本尺が着用者の脚と並べて位置するため、携帯が簡便で、かつ体積を最小化することができる。特に、デジタルカリパス用ケースは、ゴムパッキングを利用することによって、防水機能の追加が可能である。
【００２２】
また、本発明のカリパス用ケースは、単純にケースの概念ではない内容物の破損を防止する目的で保護材が内蔵される。したがって、保護材は、カリパスの外観のような腰部を形成し、カリパスに密着して流動を抑制し、衝撃による損傷を防止する。
【００２３】
また、本発明のカリパス用ケースは、手軽に携帯可能なようにベルトなどに取付けできるクリップが付着されており、このクリップは、ユーザの動作及び姿勢に応じて、角度の変更が可能なように構成されて、着用が便利であり、またカリパスをケースから引出及び挿入する時に容易である。
【００２４】
また、本発明のカリパス用ケースは、連結部に隣接した上下部ケースの形状のみを変更して、全ての種類のカリパス、すなわちデジタル式、アナログ式、及びダイヤル式カリパスを受け入れることができる。また、上部ケースが完全に開放されるにともない、容易にカリパスを引出及び挿入することができるという長所がある。
【発明を実施するための最良の形態】
【００２５】
以下、本発明に係るカリパス用ケースの好ましい実施形態を、添付した図面を参照して詳細に説明する。
【００２６】
図２Ａは、本発明の実施形態に係るカリパス用ケースにアナログノギスを装着する状態を示した斜視図であり、図２Ｂは、図２Ａに示されたカリパス用ケースの側面図であり、図２Ｃは、図２Ｂに示されたロック部材を示した断面図である。そして、図３Ａは、図２Ａに示されたカリパス用ケースの上部ケースが開いた状態を示した斜視図であり、図３Ｂは、図３Ａに示されたカリパス用ケースの側面図であり、図４は、図２Ａに示されたカリパス用ケースの背面斜視図である。
【００２７】
図２Ａ〜図２Ｃに示したように、アナログカリパス用ケース１００は、測定待機状態にあるノギス１０の主要部位（図１Ｂの２０）、すなわち測定待機状態で本尺２１の先端部、直径測定用ジョー２４ａ、内径測定用ジョー２４ｂ、副尺２２、止めネジ２３を取り囲む。具体的に、ケース１００は、ノギス１０の主要部位２０が装着される下部ケース１２０と、該下部ケース１２０を覆う上部ケース１１０と、下部ケース１２０の背面に固定されるクリップ１５０、及び上下部ケース１１０、１２０をロックするロック部材を備える。そして、ノギス１０の本尺２１が下部ケース１２０に形成されたスロット１２３を貫通して、カリパス用ケース１００の外部に突出する。
【００２８】
ここで、下部ケース１２０及び上部ケース１１０は、ＰＥ、ＰＥＴ、ＡＢＳ、ＰＶＣなどの合成樹脂製であって、日常の衝撃に破損されず、ノギス１０を受け入れた状態で約２ｍ〜３ｍに落下するとしても破損されない程度の強度を有する。
【００２９】
そして、下部ケース１２０及び上部ケース１１０の内部には、保護材１３０Ｈ、１３０Ｌが形成されるが、前記保護材１３０Ｈ、１３０Ｌは、シリコンまたはウレタンのような柔らかい材質であって、ノギス１０を取り囲んだ時に、ノギス１０の主要部位２０が安定して配置できるように、下部ケース１２０に内在した保護材１３０Ｌには、比較的浅い溝１３１Ｌが形成され、上部ケース１１０に内在された保護材１３０Ｈには、相対的に深い溝１３１Ｈが形成される。
【００３０】
さらに具体的に、下部ケース１２０を側面から見た時に、図２Ｂ及び図３Ｂに示されるように、横にした「Ｌ」状の構造を有する。ここで、クリップ１５０が固定された部位を水平部１２０Ｈとした場合、水平部１２０Ｈに垂直に位置した垂直部１２０Ｖにスロット１２３が形成され、ノギス１０の本尺２１が、スロット１２３を貫通して下部ケース１２０の外側に延長して位置する。
【００３１】
また、前記下部ケース１２０の水平部１２０Ｈの上面に保護材１３０Ｌが敷かれ、ノギス１０の主要部位２０が保護材１３０Ｌに位置するようになる。前記保護材１３０Ｌには、浅い溝１３１Ｌが形成されて、ノギス１０の主要部位２０が装着される。
【００３２】
一方、下部ケース１２０の水平部１２０Ｈ及び垂直部１２０Ｖの内側には、上部ケース１１０が位置し、上部ケース１１０の上面と垂直部１２０Ｖの上段とは、連結部１１５に連結される。したがって、上部ケース１１０は、連結部１１５を中心として上向きに旋回して開放される。
【００３３】
上部ケース１１０は、下部ケース１２０の水平部１２０Ｈの厚さより厚い。したがって、上部ケース１１０に内蔵された保護材１３０Ｈもまた、その厚さが下部ケース１２０に内蔵された保護材１３０Ｌの厚さより厚く、保護材１３０Ｈに形成された溝１３１Ｈもまた、下部ケース１２０に内蔵された保護材１３０Ｌに形成された溝１３１Ｌより深く形成される。
【００３４】
このような構造において、上部ケース１１０が下部ケース１２０に装着されたノギス１０を覆って取り囲んだ時に、上部ケース１１０に内蔵された保護材１３０Ｈがノギス１０の厚い側面の殆どを覆って、ノギス１０の主要部位２０を安定して保護する。
【００３５】
一方、下部ケース１２０の背面には、クリップ１５０が固定ボルト１５１により固定される。前記クリップ１５０は、スロット１２３側に長く位置し、クリップ１５０の上段に固定ボルト１５１が固定される。そして、スロット１２３に向けたクリップ１５０の下段は、下部ケース１２０の背面の外側方向に折り曲げられる。したがって、クリップ１５０をユーザの腰ベルトなどに着用して自由に動くことができるように構成され、このように、ケース１００を腰ベルトに着用する場合に、下部ケース１２０のスロット１２３を貫通して下部に延長されるノギス１０の本尺２１は、着用者の脚と並べて位置することで、携帯が簡便である。
【００３６】
このような構造のクリップ１５０において、クリップ１５０は、固定ボルト１５１により下部ケース１２０に固定される。このクリップ１５０は、固定ボルト１５１がピボットの機能を果たして、一定の張力が加えられた時に、所定の角度でカリパス用ケース１００が回転する。こういうクリップの回転機能は、携帯者の便宜によって、角度を変更させるための装置である。
【００３７】
一方、下部ケース１２０の厚さを薄く、かつ上部ケース１１０の厚さを厚くしたのは、クリップ１５０を利用してカリパス用ケース１００をユーザの腰ベルトに着用した場合に、下部ケース１２０の保護材１３０Ｌに装着されたノギス１０を容易に持ち上げて引き出すためである。仮りに、下部ケース１２０の厚さが厚くて、保護材１３０Ｌに形成された溝１３１Ｌの深さが深く、ノギス１０の主要部位２０が前記溝１３１Ｌに深く入って装着された時に、ユーザにとっては下部ケース１２０の保護材１３０Ｌの干渉により、カリパス１０の引出に難しさがあるためである。
【００３８】
また、図２Ｂ及び図２Ｃに示したように、下部ケース１２０の水平部１２０Ｈの上段、すなわち垂直部１２０Ｖが延長された一側の反対側と、これに対応する上部ケース１１０には、互いにロックするためのロック部材が形成される。
【００３９】
具体的に、上部ケース１１０の上段には、ユーザが力を加えて上部ケース１１０を開けるように上部方向に突起１１３が形成され、突起１１３が形成された部位において、上部ケース１１０の内側に係止顎１１７が形成される。そして、前記下部ケース１２０の水平部１２０Ｈには、段差１２５が形成され、前記段差１２５には、前記係止顎１１７が結合する腰部１２７が形成される。
【００４０】
このように構成されたロック部材において、上部ケース１１０を旋回して閉じれば、上部ケース１１０に形成された係止顎１１７が下部ケース１２０の段差１２５に形成された腰部１２７に挿入されてロックされる。
【００４１】
このような状態で図３Ａに示したように、ノギス１０をカリパス用ケース１００から引き出す場合に、ユーザは、上部ケース１１０を開くために、突起１１３に力を加える。そうすると、ユーザが加えた力により、上部ケース１１０は開かれる方向へ移動し、かつ係止顎１１７は、段差１２５の腰部１２７から外れるようになって、上部ケース１１０は開くようになる。上部ケース１１０が開いた状態で、露出されたノギス１０は下部ケース１２０から引き出される。
【００４２】
一方、図４に示したように、下部ケース１２０の外側には、チャネル１６０が形成される。前記チャネル１６０を介して紐を連結すれば、クリップ１５０を利用せずに手に携帯できる。
【００４３】
このように構成されたカリパス用ケース１００は、カリパスの種類、すなわちダイヤル式カリパス及びデジタル式カリパスに適するように、連結部１１５に隣接した上下部ケース１１０、１２０の形態を変更して使用することができる。
【００４４】
そして、カリパス用ケース１００が閉じられた時に、隣接している上部ケース１１０と下部ケース１２０との間に水が浸透するのを防止するように、上部ケース１１０と下部ケース１２０との接触面には、いずれか一方または両方に、ゴムパッキングを固定することができる。
【００４５】
一方、上述したカリパス用ケースにおいて、各構成要素などは下記のように変更可能である。
【００４６】
カリパス用ケースの材質は、合成樹脂で構成することが好ましいが、合成樹脂より多少柔軟なビニール、革、フレームが内蔵された布、ゴム、金属などで構成することができる。このように、合成樹脂より多少柔軟な材質のビニール、革、布、ゴムで上下部ケースを構成しても、その内部に保護材が充填されているため、使用可能である。また、保護材は、シリコン、ウレタン、ゴム、スポンジ、繊維などのうちのいずれかで構成することができる。
【００４７】
一方、ケースの材質の中で、堅固な合成樹脂及び金属などの場合には、上下部ケースが上下方向に開閉する方式で構成したり、ケースが左右対称になるように分割されたケースを利用して、左右方向に開閉する式で構成したりすることができる。
【００４８】
また、上述したロック部材には、係止顎１１７及び腰部１２７の代わりに、ワンタッチバックル式、磁石式、ベルクロテープ、スライドファスナー、スナップボタンなどで実現することができる。
【００４９】
尚、本発明のカリパス用ケースに対する技術思想を添付図面と共に説明したが、本発明は、上記した実施の形態に限定されるものではなく、本発明に係る技術的思想の範囲から逸脱しない範囲内で様々な変更が可能であり、それらも本発明の技術的範囲に属する。
【図面の簡単な説明】
【００５０】
【図１Ａ】通常のアナログノギスを示した平面図である。
【図１Ｂ】図１Ａに示されたアナログノギスの測定待機状態を示した平面図である。
【図２Ａ】本発明の実施形態に係るカリパス用ケースにアナログノギスを装着する状態を示した斜視図である。
【図２Ｂ】図２Ａに示されたカリパス用ケースの側面図である。
【図２Ｃ】図２Ｂに示されたロック部材を示した断面図である。
【図３Ａ】図２Ａに示されたカリパス用ケースの上部ケースが開いた状態を示した斜視図である。
【図３Ｂ】図３Ａに示されたカリパス用ケースの側面図である。
【図４】図２Ａに示されたカリパス用ケースの背面斜視図である。
【符号の説明】
【００５１】
１０      カリパス
２１      本尺
２２      副尺
２３      止めネジ
２４      ジョー
１００      ケース
１１０      上部ケース
１２０      下部ケース
１３０Ｈ，１３０Ｌ      保護材
１５０      クリップ
１５１      固定ボルト
１６０    チャネル
【図１Ａ】
2007183234.tif 000003
【図１Ｂ】
2007183234.tif 000004
【図２Ａ】
2007183234.tif 000005
【図２Ｂ】
2007183234.tif 000006
【図２Ｃ】
2007183234.tif 000007
【図３Ａ】
2007183234.tif 000008
【図３Ｂ】
2007183234.tif 000009
【図４】
2007183234.tif 000010